【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
クライアント装置に登録されるデバイス情報をメンテナンスするファイルを作成する情報処理装置であって、
削除対象とするポート情報を指定するポート指定手段と、
前記ポート指定手段で指定されたポート情報と前記デバイス情報に関する設定情報を基に作成された定義情報に従って、クライアント装置に登録されているポート情報を含むデバイス情報を取得し、当該クライアント装置に登録されているデバイス情報に設定されている複数のポート情報が前記ポート指定手段で指定されたポート情報に設定されている場合に、当該デバイス情報を削除し、前記デバイス情報に設定されている複数のポート情報に、前記ポート指定手段で指定されたポート情報が設定され、前記ポート指定手段で指定されたポート情報と異なるポート情報が設定されている場合に、前記ポート指定手段で指定されたポート情報の設定を前記デバイス情報から解除する制御を実行することが可能なファイルを作成するファイル作成手段と
を備えることを特徴とする情報処理装置。
【請求項２】
デバイス名の指定によりデバイスを削除すべく、クライアント装置で削除対象とするデバイス名を指定するデバイス名指定手段と、
ドライバ名の指定によりデバイスを削除すべく、クライアント装置で削除対象とするドライバ名を指定するドライバ名指定手段と
前記ポート指定手段または前記デバイス名指定手段または前記ドライバ名指定手段による指定に従って、デバイスの削除方法を含む定義情報を作成する定義情報作成手段と
を更に備えることを特徴とする請求項１に記載の情報処理装置。
【請求項３】
前記クライアント装置に登録するデバイスの設定情報を入力するデバイス登録情報入力手段を更に備え、
前記定義情報作成手段は、前記デバイス登録情報入力手段による設定情報に従って、登録するデバイス情報を含む定義情報を作成し、
前記ファイル作成手段は、前記定義情報に従って、前記クライアント装置に登録されているデバイス情報を削除又はポート情報の設定を解除し、前記クライアント装置にデバイスを登録する制御を実行することが可能なファイルを作成することを特徴とする請求項２に記載の情報処理装置。
【請求項４】
前記ファイル作成手段で作成するファイルは、前記デバイス情報を削除することが可能な実行モジュールを含み、
前記実行モジュールは、前記クライアント装置に登録されているデバイス情報に複数のポート情報が設定され、当該複数のポート情報がすべて削除対象のポート情報である場合に、当該デバイス情報のデバイス名に基づき前記クライアント装置に登録されているデバイス情報を削除する処理を実行することを特徴とする請求項１乃至請求項３のいずれか１項に記載の情報処理装置。
【請求項５】
前記実行モジュールは、前記削除対象となるデバイス名ごとに、デバイス名に基づくデバイス情報の削除処理をするか、デバイス情報のポート情報の解除処理をするかを決定し、
決定された処理に従って、デバイス情報の削除又はポート情報の設定の解除する処理を実行することを特徴とする請求項４に記載の情報処理装置。
【請求項６】
前記デバイスは、プリンタであることを特徴とする請求項１乃至請求項５のいずれか１項に記載の情報処理装置。
【請求項７】
クライアント装置に登録されるデバイス情報をメンテナンスするファイルを作成する情報処理装置の処理方法であって、
削除対象とするポート情報を指定するポート指定ステップと、
前記ポート指定ステップで指定されたポート情報と前記デバイス情報に関する設定情報を基に作成された定義情報に従って、クライアント装置に登録されているポート情報を含むデバイス情報を取得し、当該クライアント装置に登録されているデバイス情報に設定されている複数のポート情報が前記ポート指定ステップで指定されたポート情報に設定されている場合に、当該デバイス情報を削除し、前記デバイス情報に設定されている複数のポート情報に、前記ポート指定ステップで指定されたポート情報が設定され、前記ポート指定ステップで指定されたポート情報と異なるポート情報が設定されている場合に、前記ポート指定ステップで指定されたポート情報の設定を前記デバイス情報から解除する制御を実行することが可能なファイルを作成するファイル作成ステップと
を含むことを特徴とする情報処理装置。
【請求項８】
クライアント装置に登録されるデバイス情報をメンテナンスするファイルを作成する情報処理装置のプログラムであって、
前記情報処理装置を、
削除対象とするポート情報を指定するポート指定手段と、
前記ポート指定手段で指定されたポート情報と前記デバイス情報に関する設定情報を基に作成された定義情報に従って、クライアント装置に登録されているポート情報を含むデバイス情報を取得し、当該クライアント装置に登録されているデバイス情報に設定されている複数のポート情報が前記ポート指定手段で指定されたポート情報に設定されている場合に、当該デバイス情報を削除し、前記デバイス情報に設定されている複数のポート情報に、前記ポート指定手段で指定されたポート情報が設定され、前記ポート指定手段で指定されたポート情報と異なるポート情報が設定されている場合に、前記ポート指定手段で指定されたポート情報の設定を前記デバイス情報から解除する制御を実行することが可能なファイルを作成するファイル作成手段
として機能させるためのプログラム。
【請求項９】
デバイス情報を記憶するクライアント装置であって、
削除対象のポート情報と前記デバイス情報に関する設定情報を基に作成された定義情報に従って、当該クライアント装置に登録されているポート情報を含むデバイス情報を取得する取得手段と、
前記取得手段により取得されたデバイス情報に設定されている複数のポート情報が前記定義情報で設定されている場合に、当該デバイス情報を削除し、前記デバイス情報に設定されている複数のポート情報に、前記定義情報で指定されたポート情報が設定され、当該ポート情報と異なるポート情報が設定されている場合に、前記指定されたポート情報の設定を前記デバイス情報から解除する制御手段と
を備えることを特徴とするクライアント端末。
【請求項１０】
デバイス情報を記憶するクライアント装置の処理方法であって、
削除対象のポート情報と前記デバイス情報に関する設定情報を基に作成された定義情報に従って、当該クライアント装置に登録されているポート情報を含むデバイス情報を取得する取得ステップと、
前記取得ステップにより取得されたデバイス情報に設定されている複数のポート情報が前記定義情報で設定されている場合に、当該デバイス情報を削除し、前記デバイス情報に設定されている複数のポート情報に、前記定義情報で指定されたポート情報が設定され、当該ポート情報と異なるポート情報が設定されている場合に、前記指定されたポート情報の設定を前記デバイス情報から解除する制御ステップと
を含むことを特徴とする処理方法。
【請求項１１】
デバイス情報を記憶するクライアント装置のプログラムであって、
前記クライアント装置を、
削除対象のポート情報と前記デバイス情報に関する設定情報を基に作成された定義情報に従って、当該クライアント装置に登録されているポート情報を含むデバイス情報を取得する取得手段と、
前記取得手段により取得されたデバイス情報に設定されている複数のポート情報が前記定義情報で設定されている場合に、当該デバイス情報を削除し、前記デバイス情報に設定されている複数のポート情報に、前記定義情報で指定されたポート情報が設定され、当該ポート情報と異なるポート情報が設定されている場合に、前記指定されたポート情報の設定を前記デバイス情報から解除する制御手段
として機能させるためのプログラム。
【手続補正２】
【補正対象書類名】明細書
【補正対象項目名】００１１
【補正方法】変更
【補正の内容】
【００１１】
本発明の目的を達成するための、クライアント装置に登録されるデバイス情報をメンテナンスするファイルを作成する情報処理装置であって、削除対象とするポート情報を指定するポート指定手段と、前記ポート指定手段で指定されたポート情報と前記デバイス情報に関する設定情報を基に作成された定義情報に従って、クライアント装置に登録されているポート情報を含むデバイス情報を取得し、当該クライアント装置に登録されているデバイス情報に設定されている複数のポート情報が前記ポート指定手段で指定されたポート情報に設定されている場合に、当該デバイス情報を削除し、前記デバイス情報に設定されている複数のポート情報に、前記ポート指定手段で指定されたポート情報が設定され、前記ポート指定手段で指定されたポート情報と異なるポート情報が設定されている場合に、前記ポート指定手段で指定されたポート情報の設定を前記デバイス情報から解除する制御を実行することが可能なファイルを作成するファイル作成手段とを備えることを特徴とする。